(57)【要約】      （修正有）【課題】ＡＦエリア操作装置において、カメラで撮影されている撮影映像の映像信号を取得し、その撮影映像にＡＦエリアの範囲を示すＡＦ枠等の情報を合成した映像を生成すると共に、その合成した映像の映像信号をビューファインダー等のモニタに出力することによってＡＦエリア表示機能を備えていないカメラを使用する場合であってもＡＦエリアの範囲を操作者が認識可能に表示する。【解決手段】テレビカメラシステムにおいて、ＡＦエリア操作部３０はレンズ操作１０に接続され、レンズ装置１０に搭載されたＡＦ機能においてＡＦの対象範囲とするＡＦエリアの位置等の変更操作をＡＦエリア操作部３０によって行うことがでる。このＡＦエリア操作部３０は、カメラ１２から撮影映像の映像信号を取得し、その撮影映像にＡＦエリアの範囲を示すＡＦ枠の画像を合成回路６８によって合成し、その映像の映像信号をビューファインダー１４に出力して表示させる。【選択図】      図２
2006195342.tif 000002
【特許請求の範囲】
【請求項１】
カメラの撮像範囲のうち所定のＡＦエリアの範囲の被写体にピントが合うように前記カメラの光学系のフォーカス調整を自動で行うオートフォーカスシステムに用いられ、前記ＡＦエリアの範囲に関する操作を行うＡＦエリア操作装置において、
前記ＡＦエリア操作装置は、前記カメラと別体の装置として構成され、
前記ＡＦエリア操作装置は、
前記カメラによって撮影された撮影映像の映像信号を取得する映像信号取得手段と、
前記映像信号取得手段によって取得された映像信号の撮影映像に前記ＡＦエリアの範囲に関する情報を合成した映像の映像信号を生成するＡＦエリア情報合成手段と、
前記ＡＦエリア情報合成手段によって生成された映像信号を出力する出力手段と、
を備えたことを特徴とするＡＦエリア操作装置。
【請求項２】
前記ＡＦエリア情報合成手段は、前記ＡＦエリアの範囲の輪郭を示すＡＦ枠の画像を前記ＡＦエリアの範囲に関する情報として前記撮影映像に合成した映像の映像信号を生成することを特徴とする請求項１のＡＦエリア操作装置。
【発明の詳細な説明】
【技術分野】
【０００１】
本発明はＡＦエリア操作装置に係り、特にカメラの撮像範囲のうちオートフォーカス（ＡＦ）によるピント合わせの対象範囲とするＡＦエリアの位置等に関する操作を行うためのＡＦエリア操作装置に関する。
【背景技術】
【０００２】
テレビカメラのように撮影素子（ＣＣＤ等）により被写体の画像を電気信号（画像信号）に変換する撮像システムでは、オートフォーカス（以下、ＡＦという）の方式として一般的にコントラスト方式が採用されている。コントラスト方式は、撮像素子により取り込まれた被写体画像の画像信号（映像信号）から被写体画像のコントラストを検出し、そのコントラストが最も高くなるように撮影レンズのフォーカス（フォーカスレンズ）を制御することによって最良ピント状態に自動でピント合わせを行う方式である。
【０００３】
コントラスト方式のＡＦでは、カメラの撮像範囲（撮影範囲）をＡＦの対象範囲とするのではなく、撮像範囲のうちの一部の範囲にある被写体のみを対象とすることが多い。例えば、撮像素子によって有効に撮像された被写体画像の画像信号のうち、ＡＦの対象とする所定範囲の画像信号を抽出し、その抽出した範囲の画像信号に基づいてその画像のコントラストが最も高くなるようにフォーカスを制御している。これによってＡＦの対象が一部の範囲にある被写体に限定される。尚、本明細書ではＡＦの対象範囲をＡＦエリアといい、そのＡＦエリアの範囲を示す枠（ＡＦエリアの輪郭）をＡＦ枠というものとする。
【０００４】
また、例えば特許文献１のようにＡＦエリアの位置等を操作者の操作に従って変更可能にすると共に、ビューファインダーの画面上にそのＡＦエリアの範囲をＡＦ枠等によって表示するものも提案されている。
【特許文献１】特開２００２−３６５５１９号公報
【発明の開示】
【発明が解決しようとする課題】
【０００５】
ところで、放送用のテレビカメラシステムは、一般に、撮像素子や所要の信号処理回路を備えたカメラ（カメラヘッド）と、カメラに交換可能に装着されるレンズ装置（交換レンズ）と、カメラから出力される撮影映像等の映像信号を表示するビューファインダー等から構成されている。このようなテレビカメラシステムにおいて、ＡＦによるピント合わせを可能にするためにレンズ装置にＡＦ機能が搭載されたものが知られている。また、それに対応してＡＦエリアの範囲（位置や大きさ等）を示すＡＦエリア情報をカメラがレンズ装置から取得し、そのＡＦエリア情報に基づいて例えばＡＦ枠の画像を撮影映像に合成してビューファインダーに表示させるＡＦエリア表示機能を備えたものが知られている。
【０００６】
しかしながら、レンズ装置にＡＦエリア操作装置を接続して、ＡＦエリアの範囲をＡＦエリア操作装置の操作によって所望の範囲に変更できるようにした場合であっても、カメラにはＡＦエリア表示機能を備えていないものがある。ＡＦエリア表示機能を備えていないカメラを使用する場合には、ＡＦエリアの範囲を変更してしまうと現在のＡＦエリアが撮像範囲のどの位置や大きさに設定されているかをカメラマンが認識することができない。そのため、ＡＦエリア操作装置によってＡＦエリアの範囲を変更できる場合であってもカメラがＡＦエリア表示機能を備えていない場合には、ＡＦエリアを例えば画面中央の所定の大きさに固定することなどによってＡＦエリアの範囲の変更を禁止し、現在設定されているＡＦエリアの範囲が認識不能になる不具合を防止する必要があった。
【０００７】
本発明はこのような事情に鑑みてなされたもので、ＡＦエリア表示機能を備えていないカメラを使用する場合であってもＡＦエリアの範囲を操作者が認識可能に表示できるようにするＡＦエリア操作装置を提供することを目的とする。
【課題を解決するための手段】
【０００８】
前記目的を達成するために、請求項１に記載のＡＦエリア操作装置は、カメラの撮像範囲のうち所定のＡＦエリアの範囲の被写体にピントが合うように前記カメラの光学系のフォーカス調整を自動で行うオートフォーカスシステムに用いられ、前記ＡＦエリアの範囲に関する操作を行うＡＦエリア操作装置において、前記ＡＦエリア操作装置は、前記カメラと別体の装置として構成され、前記ＡＦエリア操作装置は、前記カメラによって撮影された撮影映像の映像信号を取得する映像信号取得手段と、前記映像信号取得手段によって取得された映像信号の撮影映像に前記ＡＦエリアの範囲に関する情報を合成した映像の映像信号を生成するＡＦエリア情報合成手段と、前記ＡＦエリア情報合成手段によって生成された映像信号を出力する出力手段と、を備えたことを特徴としている。
【０００９】
本発明によれば、カメラがＡＦエリアに関する情報を表示するＡＦエリア表示機能を備えていない場合であっても本発明に係るＡＦエリア操作装置を介してビューファインダー等にカメラの映像信号を出力することによって撮影映像にＡＦエリアに関する情報を合成した映像をビューファインダー等に表示させることができる。これによって、ＡＦエリアの範囲を操作者が認識することができる。
【００１０】
請求項２に記載のＡＦエリア操作装置は、請求項１に記載の発明において、前記ＡＦエリア情報合成手段は、前記ＡＦエリアの範囲の輪郭を示すＡＦ枠の画像を前記ＡＦエリアの範囲に関する情報として前記撮影映像に合成した映像の映像信号を生成することを特徴としている。本発明ではＡＦエリアの範囲に関する情報としてＡＦ枠を撮影映像に合成する。
【発明の効果】
【００１１】
本発明に係るＡＦエリア操作装置によれば、ＡＦエリア表示機能を備えていないカメラを使用する場合であってもＡＦエリアの範囲を操作者が認識可能に表示できるようにする。
【発明を実施するための最良の形態】
【００１２】
以下、添付図面に従って本発明に係るＡＦエリア操作装置の好ましい実施の形態について詳説する。
【００１３】
図１は、本発明に係るＡＦエリア操作装置を用いたテレビカメラシステムの一実施の形態を示した外観構成図である。同図において、レンズ装置１０は、フォーカスレンズ群やズームレンズ群、絞りなどの光学部品を備えた光学系と、光学系を制御する制御系とを備えており、その光学系の光学部品を保持するレンズ鏡胴は、レンズ交換可能なテレビ放送用のカメラ（カメラヘッド）１２にマウント結合されている。
【００１４】
カメラ１２にはＣＣＤ等の撮像素子や所要の信号処理回路が搭載されている。カメラ１２の撮像素子の撮像面にはレンズ装置１０の光学系によって被写体像が結像され、その被写体像が撮像素子によって順次光電変換される。そして、信号処理回路によって撮像素子から出力された信号に所要の信号処理が施される。これによって被写体の画像（映像）が撮影されると共にその映像の映像信号が生成される。
【００１５】
また、カメラ１２にはビューファインダー１４が取り付けられている。カメラ１２の映像信号出力コネクタ１２Ａからは現在撮影されている撮影映像の映像信号が出力されるようになっており、その映像信号出力コネクタ１２Ａに後述のフォーカス＆ＡＦエリアデマンド１６がケーブルによって接続されると共に、ビューファインダー１４の映像信号入力コネクタ１４Ａにフォーカス＆ＡＦエリアデマンド１６がケーブルによって接続される。これによって、カメラ１２の映像信号出力コネクタ１２Ａから出力された映像信号がフォーカス＆ＡＦエリアデマンド１６を介してビューファインダー１４の映像信号入力コネクタ１４Ａに入力され、ビューファインダー１４の画面にカメラ１２での撮影映像が表示されるようになっている。
【００１６】
尚、一般に、撮影映像の映像信号はカメラ１２からビューファインダー１４に直接与えられるが、本実施の形態のカメラ１２は、オートフォーカス（ＡＦ）機能におけるピント合わせ（ＡＦ）の対象範囲とするＡＦエリアの範囲（例えば、撮像範囲におけるＡＦエリアの位置、大きさ、形状によって決まる範囲）をビューファインダー１４に表示する機能（ＡＦエリア表示機能）を備えていないタイプであるため、ＡＦエリアの範囲（輪郭）を示すＡＦ枠の画像を撮影映像に合成する機能を備えたフォーカス＆ＡＦエリアデマンド１６を介して撮影映像の映像信号がビューファインダー１４に与えられている。
【００１７】
レンズ装置１０にはいくつかの電気コネクタが設けられており、レンズ装置１０のコネクタ１０Ａには、フォーカスに関する一般的な操作やＡＦエリア（ＡＦ枠）に関する操作を行うためのフォーカス＆ＡＦエリアデマンド１６がケーブルによって接続されている。レンズ装置１０のコネクタ１０Ｂにはズームに関する操作を行うためのズームデマンド１８がケーブルによって接続されている。
【００１８】
図２は、上記テレビカメラシステムにおいて主にＡＦ機能に関連するオートフォーカスシステムの構成を示したブロック図である。同図に示すオートフォーカスシステムは、上記レンズ装置１０と、上記カメラ１２と、上記ビューファインダー１４と、上記フォーカス＆ＡＦエリアデマンド１６に組み込まれたＡＦエリア操作部３０とから構成されている。
【００１９】
レンズ装置１０にはＣＰＵ５０やＡＦ処理部５２が内蔵されている。また、レンズ装置１０は、被写体光をカメラ１２の撮像素子の撮像面に結像する図示しない光学系（撮影レンズ）を備えており、その光学系にはフォーカスレンズやズームレンズ等の光軸方向に可動のレンズ群や固定のレンズ群等が配置されている。各可動のレンズ群はＣＰＵ５０からの制御信号に従って図示しないモータによって駆動されるようになっており、フォーカスレンズやズームレンズ等の位置や速度の制御がＣＰＵ５０によって行われるようになっている。
【００２０】
フォーカスレンズの制御（フォーカス制御）には、マニュアルフォーカス（ＭＦ）とオートフォーカス（ＡＦ）とがあり、ＭＦ時には、図１に示したフォーカス＆ＡＦエリアデマンド１６のマニュアル操作部材（フォーカスノブ）の操作に従って出力されるフォーカス制御信号がＣＰＵ５０に取得され、そのフォーカス制御信号によって指令された目標位置となるようにフォーカスレンズが制御される。
【００２１】
一方、ＡＦ時には、ＡＦ処理部５２によって検出されるピント情報（焦点評価値）がＣＰＵ５０に与えられ、そのピント情報に基づいてフォーカスレンズが制御される。本実施の形態のレンズ装置１０には、例えばＡＦ処理用の映像信号を取得するための撮像素子（ＡＦ用撮像素子）が搭載されている。そして、撮影レンズの光路上には、ハーフミラー等の光分割手段が配置されており、その光分割手段によってカメラ１２の撮像素子に入射する被写体光から分岐された被写体光がＡＦ用撮像素子の撮像面に結像するようになっている。ＡＦ用撮像素子の撮像エリアに対する撮影範囲（画角）及び被写体距離（ピントが合う被写体の距離）は、カメラ１２の撮像素子の撮像エリアに対する撮影範囲（画角）及び被写体距離に一致するように構成されており、ＡＦ用撮像素子により取り込まれる撮影画像（撮影映像）は、カメラ１２の撮像素子により取り込まれる撮影画像（撮影映像）と一致している。尚、両者の撮影範囲に関しては完全に一致している必要はなく、例えば、ＡＦ用撮像素子の撮影範囲の方がカメラ１２の撮像素子の撮影範囲を包含する大きな範囲であってもよい。また、レンズ装置１０にＡＦ用撮像素子を搭載することなくカメラ１２からの映像信号をＡＦ処理部５２に与えるようにしてもよい。
【００２２】
ＡＦ処理部５２には、ＡＦ用撮像素子によって撮像された撮影映像の映像信号（輝度信号）が与えられており、ＡＦ処理部５２は、その映像信号に基づいて、被写体画像のコントラストの高さを示す焦点評価値を検出する。
【００２３】
ここで、カメラ１２の撮像素子（ＡＦ用撮像素子）によって有効に撮像する被写体又は被写体画像の範囲を撮像範囲というものとすると、図３に示すように、その撮像範囲９０に対してＡＦの対象範囲とするＡＦエリア９２が例えば矩形状のＡＦ枠９４の範囲内として設定される。尚、撮像範囲９０内におけるＡＦエリア９２（ＡＦ枠９４）の位置等は、後述のようにＡＦエリア操作部３０から与えられるＡＦエリア情報に従って変更される。また、図３の撮像範囲９０は、カメラ１２の撮像素子によって撮像された被写体画像（撮影映像）をビューファインダー１４等の画面上に再生表示した場合のその撮影映像の画面範囲に相当する。
【００２４】
図２においてＡＦ処理部５２に与えられる映像信号は上記撮像範囲全体の映像情報を含んでおり、ＡＦ処理部５２はその映像信号からＡＦエリアの範囲内の映像信号のみを抽出し、その映像信号の高域周波数成分を１フィールド分（１画面分）ずつ積算する。これによってＡＦエリア内における被写体画像のコントラストの高さを示す焦点評価値が逐次得られる。
【００２５】
ＣＰＵ５０は、ＡＦ処理部５２からその焦点評価値をピント情報として逐次取得し、焦点評価値が最大（極大）となる位置にフォーカスレンズを移動させる。これによって、ＡＦエリア内の被写体に自動でピントが合わせられる。
【００２６】
ＡＦエリア操作部３０は、ＡＦエリアの位置等を設定、変更するための操作部であり、ＭＦの操作等を行うフォーカス操作部と共に図１に示したフォーカス＆ＡＦエリアデマンド１６に組み込まれている。尚、ＡＦエリア操作部３０は、フォーカス操作部とは別の操作装置（ズームデマンド１８等）に組み込まれていてもよいし、ＡＦエリア操作専用の操作装置であってもよい。
【００２７】
図４は、フォーカス＆ＡＦエリアデマンド１６の外観を示した平面図である。同図に示すようにフォーカス＆ＡＦエリアデマンド１６は、各種回路が内蔵された円筒状の本体部８０を備え、その本体部８０には、ＭＦ時に回動操作してフォーカスレンズの移動目標位置を指定する上記フォーカスノブ８２が回動可能に設けられている。本体部８０の周面には、ＡＦスタートスイッチ８４が配置されると共に、ＡＦエリア操作部３０の操作部材としてトラックボール６２が配置されている。
【００２８】
ＡＦスタートスイッチ８４は、ＡＦを開始させるためのスイッチであり、ＭＦ時においてＡＦスタートスイッチ８４をオンすると、その信号がレンズ装置１０のＣＰＵ５０に与えられ、ＣＰＵ５０においてＡＦの処理が開始されるようになっている。尚、ＡＦからＭＦへの切替えは、例えば、フォーカスノブ８２を回動操作することによって行なわれるようになっている。
【００２９】
一方、ＡＦエリア操作部３０の操作部材として配置されたトラックボール６２は、ＡＦエリア（ＡＦ枠）の位置を調整するための方向指示部材であり、上下（垂直）方向又は左右（水平）方向に回動操作すると、その操作方向に合わせて後述のようにＡＦ枠の位置が画面上（撮像範囲上）で上下方向及び左右方向に移動するようになっている。尚、ＡＦエリアの大きさや形状を変更するための操作部材をＡＦエリア操作部３０の操作部材として設けてＡＦエリアの大きさや形状も変更可能にすることもできる。但し、本実施の形態では、矩形状（四角形）で所定の大きさのＡＦエリアの位置のみを変更できるものとする。また、トラックボール６２の代わりにジョイスティックや十字キー等の他の方向指示部材を使用することもできる。
【００３０】
フォーカス＆ＡＦエリアデマンド１６の本体部８０には各操作部材の操作に基づいて各処理を行うＣＰＵが搭載されており、そのＣＰＵは、フォーカスノブ８２の操作やＡＦスタートスイッチ８４の操作に基づく処理と共に、ＡＦエリア操作部３０としての処理を実行する。図２においてそのフォーカス＆ＡＦエリアデマンド１６のＣＰＵは、ＡＦエリア操作部３０のＣＰＵ６０として示されている。
【００３１】
図２においてＣＰＵ６０は、レンズ装置１０のＣＰＵ５０にシリアル通信回路６６を介してＡＦエリア（ＡＦ枠）の位置、大きさ、及び、形状を指示するＡＦエリア情報を送信しており、そのＡＦエリア情報に従って、レンズ装置１０のＡＦ処理部５２におけるＡＦエリアの位置、大きさ、形状が設定されるようになっている。ＣＰＵ６０は、そのＡＦエリア情報によって指示するＡＦエリアの位置を、上記トラックボール６２の操作に基づいて変更することによって以下のようにＡＦ処理部５２におけるＡＦエリアの位置を変更している。
【００３２】
図２に示すように上記トラックボール６２には上下方向と左右方向の各々の方向に対して回転位置に応じた電圧値の電圧信号を出力する位置センサ（ボリューム）６２Ｖ、６２Ｈが設けられており、それらの位置センサ６２Ｖ、６２Ｈから出力された電圧信号がそれぞれＡ／Ｄ変換器６４Ｖ、６４Ｈによってデジタル信号に変換されてＣＰＵ６０に読み込まれるようになっている。これによって、トラックボール６２の回動操作が検出される。
【００３３】
ＣＰＵ６０は検出したトラックボール６２の操作方向及び操作量（回転量）に基づいて、レンズ装置１０のＣＰＵ５０にＡＦエリア情報として送信するＡＦエリアの位置、即ち、レンズ装置１０のＡＦ処理部５２において設定するＡＦエリア（ＡＦ枠）の位置を撮像範囲において上下左右に移動させる。
【００３４】
例えば、トラックボール６２に対向した位置から見てトラックボール６２が左方向に回転操作された場合、その回転量に相当する分だけ撮像範囲においてＡＦエリア（ＡＦ枠）の位置を左方向に移動させる。同様にトラックボール６２が右方向、上方向、下方向の各方向に操作された場合には各々の操作方向の回転量に相当する分だけＡＦエリアの位置を操作方向と同じ方向に移動させる。これによってＡＦエリアの位置がトラックボール６２の操作に従って設定、変更される。
【００３５】
また、Ａエリア操作部３０には、カメラ１２で撮影されている撮影映像の映像信号をカメラ１２から取得し、その映像信号の撮影映像に対して、上述のようにして設定、変更するＡＦエリアの範囲を示すＡＦ枠の画像を合成してその合成した映像の映像信号をビューファインダー１４に出力する機能が搭載されている。この機能によって図３に示したようにビューファインダー１６の画面上に撮像範囲９０の撮影映像と共に現在設定されているＡＦエリア９２の範囲を示すＡＦ枠９４の画像が表示され、カメラマンが現在設定されているＡＦエリアの範囲を認識することができるようになっている。
【００３６】
ＡＦエリア操作部３０には、カメラ１２から入力された映像信号の撮影映像にＡＦ枠の画像を合成するための合成回路６８が搭載されている。この合成回路６８には、３つの端子Ａ、Ｂ、Ｃがあり、端子Ａには、カメラ１２の映像信号出力コネクタ１２Ａ（図１参照）が接続されてカメラ１２からの映像信号が入力され、端子Ｂには一定の電圧値（映像信号として最大レベル値（例えば２Ｖ））の電圧信号が入力される。端子Ｃには、ビューファインダー１４の映像信号入力コネクタ１４Ａ（図１参照）が接続される。
【００３７】
合成回路６８は、ＣＰＵ６０から与えられる所定の出力切替信号によって端子Ｃに接続する端子を端子Ａと端子Ｂとの間で切り替え、端子Ｃから出力する信号を、端子Ａから入力された信号と端子Ｂから入力された信号とで切り替えるようになっている。
【００３８】
ＣＰＵ６０は、合成回路６８の端子Ａから入力される映像信号の各フィールド期間内において、合成回路６８に与える出力切替信号によりＡＦ枠の画像を表示する画素に対応する期間だけ端子Ｃに端子Ｂを接続し、それ以外のときには端子Ｃに端子Ａを接続する。これによって、レンズ装置１０にＡＦエリア情報を送信して設定するＡＦエリアの範囲を示すＡＦ枠の画像をカメラ１２からの映像信号に合成し、その合成した映像信号を合成回路６８の端子Ｃからビューファインダー１４に出力させる。
【００３９】
例えば、図５（Ａ）に示すように撮像範囲９０に設定されたＡＦ枠９４の画像をカメラ１２からの映像信号（撮影映像）に合成する場合において、同図の破線で示すＡＦ枠９４の上辺の位置を通過する走査線Ｌの映像信号が同図（Ｂ）のような映像信号によりカメラ１２から合成回路６８の端子Ａに与えられ、同図（Ｃ）のように合成回路６８の端子Ｂに一定電圧の電圧信号が与えられているとする。このとき、走査線Ｌ上においてＡＦ枠９４の上辺となる画素の期間Ｌ１の間だけ同図（Ｄ）に示すように合成回路６８の端子Ｃに接続する端子を端子Ｂとして同図（Ｃ）の一定電圧の電圧信号を端子Ｃから出力させ、それ以外の期間では端子Ｃに端子Ａを接続して同図（Ｂ）の映像信号を端子Ｃから出力させる。これによって、同図（Ｅ）に示すような映像信号が生成されると共にその映像信号が端子Ｃから出力される。
【００４０】
このような合成回路６８により生成された映像信号がビューファインダー１４に出力されることによって、ビューファインダー１４の画面にカメラ１２での撮影映像と共に、現在設定されているＡＦエリアの位置、大きさ、形状に応じたＡＦ枠の画像が表示される。これによって、カメラマンがビューファインダー１４の画面上で現在設定されているＡＦエリアの範囲を認識しながら、ＡＦエリアの位置等に関する変更操作を行うことができる。
【００４１】
尚、上記合成回路６８によるＡＦ枠の画像の撮影映像への合成方法は一例であって、他の方法によりＡＦ枠の画像を撮影映像に合成するようにしてもよい。
【００４２】
以上、上記実施の形態では、ＡＦエリアの範囲を示す情報としてＡＦ枠の画像を撮影映像に合成する場合を説明したが、ＡＦ枠以外の情報を撮影映像に合成することによってＡＦエリアの範囲を示す情報を表示するようにしてもよい。
【００４３】
また、上記実施の形態では、ＡＦエリア操作部３０によって撮影映像にＡＦ枠の画像を合成した映像の映像信号をカメラ１２に設置されたビューファインダーに出力するようにしたが、ビューファインダー以外の表示装置（モニタ）に出力するようにしてもよい。
【００４４】
また、本発明は上記実施の形態のようなコントラスト方式以外の方式のＡＦであっても適用できる。
【００４５】
また、従来、ピントを合わせる対象被写体の撮像範囲内での移動に合わせてＡＦエリアを自動で移動させてＡＦエリアの位置を対象被写体に自動追尾させる追尾機能が提案されている。例えば、対象被写体の画像を予め登録しておき、その画像をパターンマッチング処理により撮影映像の中から検出しながらその検出した位置にＡＦエリアを移動させる方法が提案されている。ＡＦエリア操作部３０の機能としてこのような追尾機能が搭載されている場合に自動追尾の実行時にも本発明によって現在のＡＦエリアの範囲を撮影映像に合成して表示できるようにすることは有益である。
【図面の簡単な説明】
【００４６】
【図１】図１は、本発明に係るＡＦエリア操作装置を用いたテレビカメラシステムの一実施の形態を外観構成図である。
【図２】図２は、図１のテレビカメラシステムにおいて主にＡＦ機能に関連するオートフォーカスシステムの構成を示したブロック図である。
【図３】図３は、ＡＦエリアの説明に使用した説明図である。
【図４】図４は、フォーカス＆ＡＦエリアデマンドの外観構成図である。
【図５】図５は、合成回路の説明に使用した説明図である。
【符号の説明】
【００４７】
１０…レンズ装置、１２…カメラ、１４…ビューファインダー、１６…フォーカス＆ＡＦエリアデマンド、３０…ＡＦエリア操作部、６２…トラックボール、６８…合成回路
【図１】
2006195342.tif 000003
【図２】
2006195342.tif 000004
【図３】
2006195342.tif 000005
【図４】
2006195342.tif 000006
【図５】
2006195342.tif 000007